【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
互いに無線通信可能な複数の携帯型のゲーム装置を用いる無線通信ゲームシステムであって、
前記複数のゲーム装置の中には、通信ゲームの参加を他のゲーム装置に対して募集する側のゲーム装置と、当該募集に応募する側のゲーム装置とが存在し、
各前記ゲーム装置は、ゲームプログラムが記憶されたゲームカートリッジを着脱自在に装着可能なものであり、
前記募集する側のゲーム装置は、自機を識別させるための自機識別情報を送信する送信手段を備え、
前記応募する側のゲーム装置は、
通信可能範囲に存在する他のゲーム装置の前記送信手段からの情報を受信する受信手段、
前記受信手段で受信した情報に基づいて、通信可能範囲に存在する他のゲーム装置のリストを画面に表示するリスト表示制御手段、
前記リストに含まれるゲーム装置のうちいずれか１つをプレイヤに選択させるための選択手段、および
前記選択手段によって選択されたゲーム装置に対して参加要求を送信する参加要求手段を備え、
前記リスト表示制御手段は、前記ゲームカートリッジのゲームプログラムのゲーム識別情報を他のゲーム装置との間で無線通信することにより、自機に装着されている前記ゲームカートリッジのゲームプログラムのゲーム識別情報と通信可能な関係にあるゲーム識別情報をもつゲームプログラムが記憶された前記ゲームカートリッジが装着されているゲーム装置のリストを表示する、無線通信ゲームシステム。
【請求項２】
前記リスト表示制御手段は、プレイヤの入力に応じて、自機に装着されている前記ゲームカートリッジのゲームプログラムと通信不可能なゲームプログラムが記憶された前記ゲームカートリッジが装着されているゲーム装置のリストも表示する、請求項１に記載の無線通信ゲームシステム。
【請求項３】
互いに無線通信可能な複数の携帯型のゲーム装置を用いる無線通信ゲームシステムであって、
前記複数のゲーム装置の中には、通信ゲームの参加を他のゲーム装置に対して募集する側のゲーム装置と、当該募集に応募する側のゲーム装置とが存在し、
前記募集する側のゲーム装置は、自機を識別させるための自機識別情報を送信する送信手段を備え、
前記応募する側のゲーム装置は、
通信可能範囲に存在する他のゲーム装置の前記送信手段からの情報を受信する受信手段、
前記受信手段で受信した情報に基づいて、通信可能範囲に存在する他のゲーム装置のリストを画面に表示するリスト表示制御手段、
前記リストに含まれるゲーム装置のうちいずれか１つをプレイヤに選択させるための選択手段、および
前記選択手段によって選択されたゲーム装置に対して参加要求を送信する参加要求手段を備え、
前記リスト表示制御手段は、前記ゲームカートリッジのゲームプログラムのゲーム識別情報を他のゲーム装置との間で無線通信することにより、自機で起動しているゲームプログラムのゲーム識別情報と通信可能な関係にあるゲーム識別情報をもつゲームプログラムを起動しているゲーム装置のリストを表示する、無線通信ゲームシステム。
【請求項４】
前記リスト表示制御手段は、プレイヤの入力に応じて、自機で起動しているゲームプログラムと通信不可能なゲームプログラムを起動しているゲーム装置のリスト表示する、請求項３に記載の無線通信ゲームシステム。
【請求項５】
請求項１または３に記載の募集する側のゲーム装置によって実行されることにより、当該ゲーム装置を前記送信手段として機能させるためのプログラム。
【請求項６】
請求項１または３に記載の応募する側のゲーム装置によって実行されることにより、当該ゲーム装置を、前記受信手段、前記リスト表示制御手段、前記選択手段、および、前記参加要求手段として機能させるためのプログラム。
【請求項７】
請求項５または６に記載のプログラムが記憶された情報記憶媒体。
【請求項８】
請求項１または３に記載の募集する側のゲーム装置。
【請求項９】
請求項１または３に記載の応募する側のゲーム装置。
【手続補正２】
【補正対象書類名】明細書
【補正対象項目名】発明の名称
【補正方法】変更
【補正の内容】
【発明の名称】無線通信ゲームシステム、ゲーム装置、情報記憶媒体、および、プログラム
【手続補正３】
【補正対象書類名】明細書
【補正対象項目名】０００１
【補正方法】変更
【補正の内容】
【０００１】
この発明は、無線通信を利用するゲームシステム、ゲーム装置、情報記憶媒体、および、プログラムに関し、特にたとえば、通信可能範囲にある他のゲーム装置の情報を知ることができる無線通信ゲームシステム、ゲーム装置、情報記憶媒体、および、プログラムに関する。
【手続補正４】
【補正対象書類名】明細書
【補正対象項目名】０００３
【補正方法】変更
【補正の内容】
【０００３】
この先行技術では、例えば、通信可能範囲にある他のゲーム装置の情報を知ることができなかった。
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】変更
【補正の内容】
【０００５】
それゆえに、この発明の主たる目的は、新規な、無線通信ゲームシステム、ゲーム装置、情報記憶媒体、および、プログラムを提供することである。
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】変更
【補正の内容】
【０００８】
請求項１に記載の発明は、互いに無線通信可能な複数の携帯型のゲーム装置を用いる無線通信ゲームシステムである。複数のゲーム装置の中には、通信ゲームの参加を他のゲーム装置に対して募集する側のゲーム装置と、当該募集に応募する側のゲーム装置とが存在する。各ゲーム装置は、ゲームプログラムが記憶されたゲームカートリッジを着脱自在に装着可能なものである。募集する側のゲーム装置は、自機を識別させるための自機識別情報を送信する送信手段を備える。応募する側のゲーム装置は、通信可能範囲に存在する他のゲーム装置の送信手段からの情報を受信する受信手段、受信手段で受信した情報に基づいて、通信可能範囲に存在する他のゲーム装置のリストを画面に表示するリスト表示制御手段、リストに含まれるゲーム装置のうちいずれか１つをプレイヤに選択させるための選択手段、および、選択手段によって選択されたゲーム装置に対して参加要求を送信する参加要求手段を備える。そして、リスト表示制御手段は、ゲームカートリッジのゲームプログラムのゲーム識別情報を他のゲーム装置との間で無線通信することにより、自機に装着されているゲームカートリッジのゲームプログラムのゲーム識別情報と通信可能な関係にあるゲーム識別情報をもつゲームプログラムが記憶されたゲームカートリッジが装着されているゲーム装置のリストを表示する。
【手続補正１０】
【補正対象書類名】明細書
【補正対象項目名】０００９
【補正方法】変更
【補正の内容】
【０００９】
請求項３に記載の発明は、互いに無線通信可能な複数の携帯型のゲーム装置を用いる無線通信ゲームシステムである。複数のゲーム装置の中には、通信ゲームの参加を他のゲーム装置に対して募集する側のゲーム装置と、当該募集に応募する側のゲーム装置とが存在する。募集する側のゲーム装置は、自機を識別させるための自機識別情報を送信する送信手段を備える。応募する側のゲーム装置は、通信可能範囲に存在する他のゲーム装置の送信手段からの情報を受信する受信手段、受信手段で受信した情報に基づいて、通信可能範囲に存在する他のゲーム装置のリストを画面に表示するリスト表示制御手段、リストに含まれるゲーム装置のうちいずれか１つをプレイヤに選択させるための選択手段、および、選択手段によって選択されたゲーム装置に対してゲームプレイ要求を送信するゲームプレイ要求手段を備える。そして、リスト表示制御手段は、ゲームカートリッジのゲームプログラムのゲーム識別情報を他のゲーム装置との間で無線通信することにより、自機で起動しているゲームプログラムのゲーム識別情報と通信可能な関係にあるゲーム識別情報をもつゲームプログラムを起動しているゲーム装置のリストを表示する。
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】変更
【補正の内容】
【００２０】
無線通信ゲームシステムは、実施例では、少なくとも２台の携帯ゲーム装置（１０：実施例で相当する参照符号。以下同じ。）を用いて構成される。
【手続補正２２】
【補正対象書類名】明細書
【補正対象項目名】００２１
【補正方法】変更
【補正の内容】
【００２１】
送信手段は、実施例では、図２９に示す募集する側のゲーム装置の送受信処理のステップＳ２００３およびＳ２００９に相当し、自機識別情報としての親機番号ＰＩＤと、ゲーム識別情報としてのゲーム名GameNameとを送信する。
【手続補正２３】
【補正対象書類名】明細書
【補正対象項目名】００２２
【補正方法】変更
【補正の内容】
【００２２】
応募する側のゲーム装置は、また、実施例の図２０のステップＳ９または図２５のステップＳ１１７で示す受信手段によって受信する。リスト表示制御手段は、この受信情報に基づいて、たとえば図２０のＳ１５または図２５のステップＳ１２３において、リストを作成し、図２０のＳ２３またはＳ２５または図２５のステップＳ１２９で、そのリストをＬＣＤ（１８）上に表示する。
【手続補正２４】
【補正対象書類名】明細書
【補正対象項目名】００２３
【補正方法】変更
【補正の内容】
【００２３】
応募する側のゲーム装置のユーザは、そのリストを見て、図２０のＳ７９およびＳ１５１または図２５のステップＳ１３１およびＳ１３３で、選択手段を構成する操作キー（３８）の十字キーを操作することによって、リストの中から所望のものを１つ選択する。そして、たとえばステップＳ３０２３（図３１）に相当する参加要求手段が、たとえばＥスロットに自機の子機番号ＣＩＤを送信することによって、参加要求を募集する側のゲーム装置に対して送信する。
【手続補正２５】
【補正対象書類名】明細書
【補正対象項目名】００２４
【補正方法】変更
【補正の内容】
【００２４】
したがって、応募する側のゲーム装置は、募集する側のゲーム装置の情報を参照して、いずれのゲーム装置に参加するか任意に決定することができる。
【手続補正２６】
【補正対象書類名】明細書
【補正対象項目名】００２５
【補正方法】削除
【補正の内容】
【手続補正２７】
【補正対象書類名】明細書
【補正対象項目名】００２６
【補正方法】削除
【補正の内容】
【手続補正２８】
【補正対象書類名】明細書
【補正対象項目名】００２７
【補正方法】削除
【補正の内容】
【手続補正２９】
【補正対象書類名】明細書
【補正対象項目名】００２８
【補正方法】削除
【補正の内容】
【手続補正３０】
【補正対象書類名】明細書
【補正対象項目名】００２９
【補正方法】削除
【補正の内容】
【手続補正３１】
【補正対象書類名】明細書
【補正対象項目名】００３０
【補正方法】削除
【補正の内容】
【手続補正３２】
【補正対象書類名】明細書
【補正対象項目名】００３１
【補正方法】削除
【補正の内容】
【手続補正３３】
【補正対象書類名】明細書
【補正対象項目名】００３２
【補正方法】削除
【補正の内容】
【手続補正３４】
【補正対象書類名】明細書
【補正対象項目名】００３３
【補正方法】削除
【補正の内容】
【手続補正３５】
【補正対象書類名】明細書
【補正対象項目名】００３４
【補正方法】削除
【補正の内容】
【手続補正３６】
【補正対象書類名】明細書
【補正対象項目名】００３５
【補正方法】変更
【補正の内容】
【００３５】
この発明によれば、応募する側のゲーム装置は、通信可能範囲にある他のゲーム装置の情報を参照して、いずれのゲーム装置に参加要求するか任意に決定することができる。
【手続補正３７】
【補正対象書類名】明細書
【補正対象項目名】００３６
【補正方法】削除
【補正の内容】
【手続補正３８】
【補正対象書類名】明細書
【補正対象項目名】００３７
【補正方法】削除
【補正の内容】